(57)【特許請求の範囲】
【請求項１】
相互に交差する複数の走査線および複数の信号線と、
右眼用画像および左眼用画像の各々の画素毎の階調を指定する第２階調データのビット数を削減した第１階調データを第１周期で順次に出力し、前記第１周期よりも長い第２周期で右眼用画像および左眼用画像の各々の画素毎の前記第２階調データを順次に出力する表示制御回路と、
交互に設定される右眼用期間および左眼用期間の各々において、第１期間内で前記第１周期に応じた時間長の第１選択期間毎に前記複数の走査線の各々を順次に選択し、前記第１期間の経過後の第２期間内で前記第１選択期間よりも長い時間長の第２選択期間毎に前記複数の走査線の各々を順次に選択する走査線駆動回路と、
前記右眼用画像の前記第１階調データに基づく階調信号を前記右眼用期間内の前記第１期間の前記第１選択期間毎に順次に前記各信号線に供給するとともに前記右眼用画像の前記第２階調データに基づく階調信号を前記右眼用期間内の前記第２期間の前記第２選択期間毎に順次に前記各信号線に供給し、前記左眼用画像の前記第１階調データに基づく階調信号を前記左眼用期間内の前記第１期間の前記第１選択期間毎に順次に前記各信号線に供給するとともに前記左眼用画像の前記第２階調データに基づく階調信号を前記左眼用期間内の前記第２期間の前記第２選択期間毎に順次に前記各信号線に供給する信号線駆動回路と
を具備する電気光学装置。
【請求項２】
右眼用シャッターと左眼用シャッターとを含む立体視用眼鏡で立体視される右眼用画像および左眼用画像を表示する電気光学装置であって、
前記右眼用期間において前記左眼用シャッターを閉状態に制御するとともに当該右眼用期間内の前記第１期間の始点から所定の時間が経過した時点で前記右眼用シャッターを閉状態から開状態に変化させ、前記左眼用期間において前記右眼用シャッターを閉状態に制御するとともに当該左眼用期間内の前記第１期間の始点から所定の時間が経過した時点で前記左眼用シャッターを閉状態から開状態に変化させる眼鏡制御回路
を具備する請求項１の電気光学装置。
【請求項３】
前記第１階調データはＫビットで構成され（Ｋは自然数）、
前記第２階調データはα・Ｋビットで構成され（αは２以上の自然数）、
前記表示制御回路は、Ｋ系統の伝送路の各々を介して前記第１階調データの各ビットを前記第１周期で並列に前記信号線駆動回路に転送し、前記第１周期のα倍の前記第２周期で前記第２階調データをＫビット単位で前記Ｋ系統の伝送路の各々を介して並列に前記信号線駆動回路に転送し、
前記第２選択期間の時間長は、前記第１選択期間の時間長のα倍である
請求項１または請求項２の電気光学装置。
【請求項４】
前記第１階調データは、前記第２階調データの上位のＫビットである
請求項３の電気光学装置。
【請求項５】
前記右眼用期間および前記左眼用期間の各々は、前記第１期間および前記第２期間と、前記第２期間の経過後の第３期間とを含み、前記走査線駆動回路および前記信号線駆動回路の動作は前記第３期間にて停止する
請求項１から請求項４の何れかの電気光学装置。
【請求項６】
前記右眼用期間および前記左眼用期間の各々は前記第２期間の開始前に複数の前記第１期間を含む
請求項１から請求項５の何れかの電気光学装置。
【請求項７】
請求項１から請求項６の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
右眼用画像と左眼用画像とを時分割で交互に表示するフレームシーケンシャル方式の立体視方法が従来から提案されている。右眼用画像および左眼用画像の一方が他方に変化する期間では右眼用画像と左眼用画像とが混在するから、観察者が画像を視認すると明確な立体感を認識することが困難となる（クロストーク）。以上の問題を解決するために、例えば特許文献１には、右眼用画像および左眼用画像の一方が他方に変化する期間（すなわち右眼用画像と左眼用画像とが混在する期間）において立体視用眼鏡の右眼用シャッターおよび左眼用シャッターの双方を閉状態として観察者に画像を視認させない技術が開示されている。
【０００３】
具体的には、図９に示すように、右眼用画像に対応する右眼用期間と左眼用画像に対応する左眼用期間とが交互に設定される。右眼用期間の前半期間では表示画像が左眼用画像から右眼用画像に更新されるとともに後半期間では右眼用画像が表示され、左眼用期間の前半期間では表示画像が右眼用画像から左眼用画像に更新されるとともに後半期間では左眼用画像が表示される。右眼用期間および左眼用期間の各々の前半期間では、右眼用シャッターおよび左眼用シャッターの双方が閉状態に制御される。したがって、右眼用画像と左眼用画像との混在（クロストーク）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、利用者が実際に画像を視認できる期間が、右眼用期間および左眼用期間の各々における後半期間（すなわち約半分）に制限される。したがって、表示画像の明度を充分に確保することが困難であるという問題がある。以上の事情を考慮して、本発明は、右眼用画像と左眼用画像との混在が利用者に知覚されることを抑制しながら表示画像の明度を向上させることを目的とする。
【課題を解決するための手段】
【０００６】
以上の課題を解決するために、本発明の電気光学装置は、相互に交差する複数の走査線および複数の信号線と、右眼用画像および左眼用画像の各々の画素毎の階調を指定する第２階調データ（例えば階調データＤB）のビット数を削減した第１階調データ（例えば階調データＤA）を第１周期（例えば周期Ｔ1）で順次に出力し、第１周期よりも長い第２周期（例えば周期Ｔ2）で右眼用画像および左眼用画像の各々の画素毎の第２階調データを順次に出力する表示制御回路と、交互に設定される右眼用期間および左眼用期間の各々において、第１期間内で第１周期に応じた時間長の第１選択期間（例えば選択期間ＨA[m]）毎に複数の走査線の各々を順次に選択し、第１期間の経過後の第２期間内で第１選択期間よりも長い時間長の第２選択期間（例えば選択期間ＨB[m]）毎に複数の走査線の各々を順次に選択する走査線駆動回路と、右眼用画像の第１階調データに基づく階調信号を右眼用期間内の第１期間の第１選択期間毎に順次に各信号線に供給するとともに右眼用画像の第２階調データに基づく階調信号を右眼用期間内の第２期間の第２選択期間毎に順次に各信号線に供給し、左眼用画像の第１階調データに基づく階調信号を左眼用期間内の第１期間の第１選択期間毎に順次に各信号線に供給するとともに左眼用画像の第２階調データに基づく階調信号を左眼用期間内の第２期間の第２選択期間毎に順次に各信号線に供給する信号線駆動回路とを具備する。
【０００７】
以上の構成では、右眼用期間および左眼用期間の各々の第１期間において、第２階調データのビット数を削減した第１階調データが表示制御回路から第１周期で信号線駆動回路に転送され、第１周期に応じた時間長の第１選択期間毎に各画素回路に階調信号が供給される。したがって、右眼用画像と左眼用画像とが混在する期間内で立体視用眼鏡の右眼用シャッターおよび左眼用シャッターの双方を閉状態に制御することで右眼用画像と左眼用画像との混在が利用者に知覚されることを抑制する場合でも、表示画像の明度を向上させることが可能である。また、第１期間では表示画像の階調数が減少するが、第２期間では第２階調データに基づく階調信号が各画素回路に供給されるから、表示画像の階調数の減少を観察者に知覚され難くすることが可能である。
【０００８】
本発明の好適な態様は、右眼用シャッターと左眼用シャッターとを含む立体視用眼鏡で立体視される右眼用画像および左眼用画像を表示する電気光学装置であって、右眼用期間において左眼用シャッターを閉状態に制御するとともに当該右眼用期間内の第１期間の始点から所定の時間が経過した時点で右眼用シャッターを閉状態から開状態に変化させ、左眼用期間において右眼用シャッターを閉状態に制御するとともに当該左眼用期間内の第１期間の始点から所定の時間が経過した時点で左眼用シャッターを閉状態から開状態に変化させる眼鏡制御回路を具備する。以上の態様においては、右眼用期間および左眼用期間の各々における第１期間の始点から所定の時間が経過するまでの期間において、右眼用画像と左眼用画像との混在が利用者に知覚されることを防止できる。右眼用期間内の第１期間の終点にて右眼用シャッターを閉状態から開状態に変化させ、左眼用期間内の第１期間の終点にて左眼用シャッターを閉状態から開状態に変化させる構成によれば、右眼用画像と左眼用画像との混在を利用者に知覚され難くするという効果は格別に顕著となる。
【０００９】
本発明の好適な態様において、第１階調データはＫビットで構成され（Ｋは自然数）、第２階調データはα・Ｋビットで構成され（αは２以上の自然数）、表示制御回路は、Ｋ系統の伝送路の各々を介して第１階調データの各ビットを第１周期で並列に信号線駆動回路に転送し、第１周期のα倍の第２周期で第２階調データをＫビット単位でＫ系統の伝送路の各々を介して並列に信号線駆動回路に転送し、第２選択期間の時間長は、第１選択期間の時間長のα倍である。以上の態様では、第２階調データがＫビット単位で各伝送路を介して並列に信号線駆動回路に転送されるから、第２階調データの全部のビットを並列に転送するα・Ｋ本の伝送路を形成した構成と比較して伝送路の総数を削減することが可能である。
【００１０】
第２階調データから第１階調データを生成する方法は任意であるが、例えば第２階調データの上位のＫビットを第１階調データとする構成が好適である。以上の態様によれば、第１階調データを簡便に生成できるという利点がある。なお、例えば第２階調データに対する所定の演算で第１階調データを生成する構成も採用され得る。
【００１１】
本発明の好適な態様において、右眼用期間および左眼用期間の各々は、第１期間および第２期間と、第２期間の経過後の第３期間とを含み、走査線駆動回路および信号線駆動回路の動作は第３期間にて停止する。以上の態様では、走査線駆動回路および信号線駆動回路の動作を停止させる第３期間が第２期間の経過後に設定される。したがって、第２階調データに応じた右眼用画像または左眼用画像が表示される時間長を充分に確保できるという利点がある。以上の態様の具体例は例えば第１実施形態として後述される。
【００１２】
本発明の好適な態様において、右眼用期間および左眼用期間の各々は第２期間の開始前に複数の第１期間を含む。以上の態様においては、第１階調データに応じた画像を表示する複数の第１期間が第２期間の開始前に設定されるから、例えば第１階調データを第１期間毎に相違させた構成や各第１期間の時間長を相違させた構成（FRC：frame rate control）により、複数の第１期間の全体で階調を表現することが可能である。したがって、第２期間の開始前に１個の第１期間のみが設定された構成と比較して、第１階調データに応じた表示画像について観察者が知覚する階調数を増加させることが可能である。なお、以上の態様の具体例は例えば第２実施形態として後述される。
【００１３】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１４】
【図１】本発明の第１実施形態に係る立体視表示装置のブロック図である。
【図２】画素回路の回路図である。
【図３】表示制御回路の動作の説明図である。
【図４】立体視表示装置の動作の説明図である。
【図５】本発明の第２実施形態における立体視表示装置の動作の説明図である。
【図６】電子機器（パーソナルコンピュータ）の斜視図である。
【図７】電子機器（携帯電話機）の斜視図である。
【図８】電子機器（投射型表示装置）の斜視図である。
【図９】従来の技術における立体視動動作の説明図である。
【発明を実施するための形態】
【００１５】
＜Ａ：第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、右眼用画像ＧRと左眼用画像ＧLとを時分割で交互に表示する。
【００１６】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１７】
図１の電気光学装置１０は、電気光学パネル１２と制御回路１４とを具備する。電気光学パネル１２は、複数の画素回路（画素）ＰIXが配列された画素部３０と、各画素回路ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素回路ＰIXは、走査線３２と信号線３４との各交差に対応して縦Ｍ行×横Ｎ列の行列状に配列される。
【００１８】
駆動回路４０は、走査線駆動回路４２と信号線駆動回路４４とを具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が選択電位に設定されることで第ｍ行の走査線３２が選択される。信号線駆動回路４４は、走査線駆動回路４２による走査線３２の選択に同期してＮ本の信号線３４の各々に階調信号Ｘ[1]〜Ｘ[N]を供給する。階調信号Ｘ[n]（ｎ＝１〜Ｎ）は、右眼用画像ＧRおよび左眼用画像ＧLの各々の画素に指定された階調に応じて電位ＶGが可変に設定される電圧信号であり、所定の基準電位に対する極性が周期的に反転する。
【００１９】
図２は、各画素回路ＰIXの回路図である。図２に示すように、各画素回路ＰIXは、液晶素子ＣLと選択スイッチＳWとを含む。液晶素子ＣLは、相対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。走査信号Ｙ[m]が選択電位に設定されることで第ｍ行の各画素回路ＰIXにおける選択スイッチＳWが同時にオン状態に遷移する。各画素回路ＰIX（液晶素子ＣL）は、選択スイッチＳWがオン状態に制御されたとき（すなわち走査線３２の選択時）の階調信号Ｘ[n]の電位ＶGに応じた階調を表示する。なお、液晶素子ＣLに並列に補助容量を接続した構成も採用され得る。
【００２０】
図１の制御回路１４は、電気光学パネル１２を制御する表示制御回路１４２と、立体視用眼鏡２０を制御する眼鏡制御回路１４４とを具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。表示制御回路１４２は、相互に視差が付与された右眼用画像ＧRと左眼用画像ＧLとが時分割で画素部３０に表示されるように駆動回路４０を制御する。例えば、表示制御回路１４２は、右眼用画像ＧRおよび左眼用画像ＧLの各々の各画素の階調を指定する階調データＤ（ＤA，ＤB）を駆動回路４０に転送する。表示制御回路１４２と信号線駆動回路４４とを接続するＫ系統の伝送路Ｑ[1]〜Ｑ[K]を介して階調データＤは信号線駆動回路４４に順次に転送される。階調データＤを差動伝送する場合、１系統の伝送路Ｑ[k]（ｋ＝１〜Ｋ）は２本の配線で構成される。
【００２１】
表示制御回路１４２が信号線駆動回路４４に階調データＤを転送する動作モードは、Ｋビットの階調データＤAを転送する第１転送モードと、α・Ｋビットの階調データＤBを転送する第２転送モードとの何れかに設定される（Ｋは自然数，αは２以上の自然数）。例えば、第１転送モードでは６ビット（Ｋ＝６）の階調データＤAが信号線駆動回路４４に供給され、第２転送モードでは１２ビット（α＝２）の階調データＤBが信号線駆動回路４４に供給される。階調データＤAは、階調データＤBのビット数を削減したデータである。具体的には、階調データＤBのうち上位のＫビットが階調データＤAとして生成される。以上のように階調データＤAのビット数は階調データＤBを下回るから、階調データＤAで表現できる階調数は階調データＤBで表現できる階調数を下回る。例えば階調データＤBを１２ビットとして階調データＤAを６ビットとした場合、階調データＤBは4096段階の階調を表現できるが、階調データＤAは64段階の階調しか表現できない。
【００２２】
図３は、階調データＤの転送動作の説明図である。図３には、伝送路Ｑ[k]の総数Ｋを６本とした場合に各伝送路Ｑ[k]で伝送されるビットの時系列が、第１転送モードおよび第２転送モードの各々について図示されている。図３には、表示制御回路１４２による転送動作の周期を規定するクロック信号（ドットクロック）ＣLKの波形が併記されている。図３の記号ＤA[m,n]は、Ｍ行×Ｎ列の画素で構成される表示画像Ｇ（右眼用画像ＧRまたは左眼用画像ＧL）のうち第ｍ行の第ｎ列に位置する画素の階調を指定する階調データＤAを意味し、記号ＤA[m,n]_j（ｊ＝１,２,……）は、階調データＤA[m,n]のうち最上位から第ｊ番目の１個のビットを意味する。同様に、記号ＤB[m,n]_jは、表示画像Ｇのうち第ｍ行の第ｎ列に位置する画素の階調データＤB[m,n]のうち最上位から第ｊ番目の１個のビットを意味する。したがって、１個の階調データＤB[m,n]を構成する１２個のビットＤB[m,n]_1〜ＤB[m,n]_12のうち上位側の６個のビットＤB[m,n]_1〜ＤB[m,n]_6が階調データＤA[m,n]（ビットＤA[m,n]_1〜ＤA[m,n]_6）に相当する。
【００２３】
図３に示すように、第１転送モードにおいて、表示制御回路１４２は、画素毎の階調データＤA[m,n]を周期Ｔ1で順次に信号線駆動回路４４に転送する。すなわち、階調データＤA[m,n]の各ビットＤA[m,n]_1〜ＤA[m,n]_6が各伝送路Ｑ[k]（Ｑ[1]〜Ｑ[6]）を介して並列に転送される。周期Ｔ1は、クロック信号ＣLKの半周期に設定される。
【００２４】
他方、第２転送モードでは、表示制御回路１４２は、画素毎の階調データＤB[m,n]を周期Ｔ2で順次に信号線駆動回路４４に転送する。周期Ｔ2は、周期Ｔ1よりも長い時間長に設定される。具体的には、周期Ｔ2は、クロック信号ＣLKの１周期（したがって周期Ｔ1の２倍（α倍））に設定される。すなわち、階調データＤB[m,n]を構成する１２個のビットＤB[m,n]_1〜ＤB[m,n]_12のうち上位側のビットＤB[m,n]_1〜ＤB[m,n]_6が周期Ｔ2の前半期間にて各伝送路Ｑ[k]を介して並列に転送され、下位側のビットＤB[m,n]_7〜ＤB[m,n]_12が周期Ｔ2の後半期間にて各伝送路Ｑ[k]を介して並列に転送される。したがって、第２転送モードで１個の表示画像Ｇの全画素の階調データＤの転送に必要な時間長は、第１転送モードで必要な時間長の２倍（α倍）となる。
【００２５】
以上のように第１実施形態では、階調データＤB[m,n]（α・Ｋビット）がＫビット単位で各伝送路Ｑ[k]から信号線駆動回路４４に転送されるから、階調データＤB[m,n]の全部のビットを並列に転送するα・Ｋ本の伝送路を形成した構成と比較して、表示制御回路１４２と信号線駆動回路４４とを接続する伝送路Ｑ[k]の総数Ｋを削減することが可能である。したがって、立体視表示装置１００の製造コストや消費電力が低減されるとともに伝送路Ｑ[k]の設置面積が削減されるという利点がある。
【００２６】
図４は、立体視表示装置１００の動作の説明図である。立体視表示装置１００の動作期間は、右眼用画像ＧRを表示するための右眼用期間ＰRと左眼用画像ＧLを表示するための左眼用期間ＰLとに区分される。各右眼用期間ＰRと各左眼用期間ＰLとは時間軸上に交互に配置される。右眼用期間ＰRおよび左眼用期間ＰLの各々は、第１期間Ｐ1と第２期間Ｐ2と第３期間Ｐ3とを含む。図４に示すように、第１期間Ｐ1と第２期間Ｐ2と第３期間Ｐ3との各々は、表示制御回路１４２から駆動回路４０に供給される垂直同期信号ＶSYNCの１周期として規定される。
【００２７】
右眼用期間ＰRのおよび左眼用期間ＰLの各々の第１期間Ｐ1では、表示制御回路１４２は第１転送モードで動作し、Ｋビットの階調データＤA[m,n]を周期Ｔ1で順次に信号線駆動回路４４に転送する。具体的には、右眼用期間ＰRの第１期間Ｐ1では右眼用画像ＧRの階調データＤA[m,n]が転送され、左眼用期間ＰLの第１期間Ｐ1では左眼用画像ＧLの階調データＤA[m,n]が転送される。他方、右眼用期間ＰRおよび左眼用期間ＰLの各々の第２期間Ｐ2では、表示制御回路１４２は第２転送モードで動作し、α・Ｋビットの階調データＤB[m,n]を周期Ｔ2で順次に信号線駆動回路４４に転送する。具体的には、右眼用期間ＰRの第２期間Ｐ2では右眼用画像ＧRの階調データＤB[m,n]が転送され、左眼用期間ＰLの第２期間Ｐ2では左眼用画像ＧLの階調データＤB[m,n]が転送される。また、右眼用期間ＰRおよび左眼用期間ＰLの各々の第３期間Ｐ3では、表示制御回路１４２は階調データＤの転送を停止する。
【００２８】
図４に示すように、走査線駆動回路４２は、右眼用期間ＰRおよび左眼用期間ＰLの各々の第１期間Ｐ1において、Ｍ本の走査線３２の各々を選択期間ＨA[1]〜ＨA[M]にて順次に選択する。すなわち、第１期間Ｐ1内の第ｍ番目の選択期間ＨA[m]では走査信号Ｙ[m]が選択電位に設定されることで第ｍ行の１本の走査線３２が選択される。また、右眼用期間ＰRおよび左眼用期間ＰLの各々の第２期間Ｐ2において、走査線駆動回路４２は、Ｍ本の走査線３２の各々を選択期間ＨB[1]〜ＨB[M]にて順次に選択する。すなわち、第２期間Ｐ2内の第ｍ番目の選択期間ＨB[m]では走査信号Ｙ[m]が選択電位に設定されることで第ｍ行の１本の走査線３２が選択される。なお、第３期間Ｐ3において走査線駆動回路４２は動作（各走査線３２の選択）を停止する。
【００２９】
第１期間Ｐ1内の各選択期間ＨA[m]は第１転送モードでの転送の周期Ｔ1（転送速度）に対応した時間長に設定され、第２期間Ｐ2内の各選択期間ＨB[m]は第２転送モードでの転送の周期Ｔ2に対応した時間長に設定される。具体的には、選択期間ＨA[m]は周期Ｔ1に略比例した時間長に設定され、選択期間ＨB[m]は周期Ｔ2に略比例した時間長に設定される。すなわち、選択期間ＨB[m]の時間長は、選択期間ＨA[m]の時間長の２倍（α倍）に設定される。したがって、第１期間Ｐ1の時間長は第２期間Ｐ2の約半分である。第３期間Ｐ3の時間長は任意であるが、図４では第１期間Ｐ1と同等の時間長に設定した場合を例示した。
【００３０】
信号線駆動回路４４は、右眼用期間ＰRおよび左眼用期間ＰLの各々の第１期間Ｐ1および第２期間Ｐ2において、走査線駆動回路４２による走査線３２の選択に同期してＮ本の信号線３４の各々に階調信号Ｘ[1]〜Ｘ[N]を供給する。基準電位（例えば共通電極６４の電位）に対する各階調信号Ｘ[n]の電位ＶGの極性は所定の周期で順次に反転される。例えば、相前後する右眼用期間ＰRと左眼用期間ＰLとの合計期間を１周期として電位ＶGの極性を反転させる構成が好適である。他方、第３期間Ｐ3において信号線駆動回路４４は動作（階調信号Ｘ[n]の生成および出力）を停止する。
【００３１】
右眼用期間ＰRおよび左眼用期間ＰLの各々の第１期間Ｐ1内では、信号線駆動回路４４は、表示制御回路１４２から周期Ｔ1で順次に転送される階調データＤA[m,n]に応じて階調信号Ｘ[n]の電位ＶGを選択期間ＨA[m]毎に設定する。具体的には、図４に示すように、右眼用期間ＰRの第１期間Ｐ1のうち第ｍ行の走査線３２が選択される選択期間ＨA[m]では、右眼用画像ＧRのうち第ｍ行の第ｎ列に位置する画素の階調データＤA[m,n]に応じた電位ＶGの階調信号Ｘ[n]が第ｎ列の信号線３４に供給される。同様に、左眼用期間ＰLの第１期間Ｐ1内の選択期間ＨA[m]では、左眼用画像ＧLの階調データＤA[m,n]に応じた電位ＶGの階調信号Ｘ[n]が第ｎ列の信号線３４に供給される。したがって、右眼用期間ＰRの第１期間Ｐ1の終点では、Ｋビットの階調データＤA[m,n]に応じて各画素の階調が指定された右眼用画像ＧRが画素部３０に表示され、左眼用期間ＰLの第１期間Ｐ1の終点では、Ｋビットの階調データＤA[m,n]に応じて各画素の階調が指定された左眼用画像ＧLが画素部３０に表示される。具体的には、信号線駆動回路４４は、α・Ｋビットの入力データに応じた階調信号Ｘ[n]を生成可能なＤ/Ａ変換器で構成され、第１期間Ｐ1では、Ｋビットの階調データＤA[m,n]の下位に(α−１)・Ｋビットの固定値（例えば“００００００”や“１１１１１１”等）を付加したα・Ｋビットを入力データとして階調信号Ｘ[n]を生成する。
【００３２】
また、右眼用期間ＰRおよび左眼用期間ＰLの各々の第２期間Ｐ2内では、信号線駆動回路４４は、表示制御回路１４２から周期Ｔ2で順次に転送される階調データＤB[m,n]に応じて階調信号Ｘ[n]の電位ＶGを選択期間ＨB[m]毎に設定する。具体的には、図４に示すように、右眼用期間ＰRの第２期間Ｐ2内の選択期間ＨB[m]では、右眼用画像ＧRのうち第ｍ行の第ｎ列に位置する画素の階調データＤB[m,n]に応じた電位ＶGの階調信号Ｘ[n]が第ｎ列の信号線３４に供給され、左眼用期間ＰLの第２期間Ｐ2内の選択期間ＨB[m]では、左眼用画像ＧLの階調データＤB[m,n]に応じた電位ＶGの階調信号Ｘ[n]が第ｎ列の信号線３４に供給される。したがって、右眼用期間ＰRの第２期間Ｐ2の終点では、α・Ｋビットの階調データＤB[m,n]に応じた右眼用画像ＧRが画素部３０に表示され、左眼用期間ＰLの第２期間Ｐ2の終点では、α・Ｋビットの階調データＤB[m,n]に応じた左眼用画像ＧLが画素部３０に表示される。
【００３３】
以上に説明したように、右眼用画像ＧRおよび左眼用画像ＧLの各々の第１期間Ｐ1ではＫビットの階調データＤAに応じて右眼用画像ＧRまたは左眼用画像ＧLが表示され、第２期間Ｐ2ではα・Ｋビットの階調データＤBに応じて右眼用画像ＧRまたは左眼用画像ＧLが表示される。すなわち、第１期間Ｐ1では、表示画像の階調数が低減される反面、表示制御回路１４２による階調データＤAの転送や各画素回路ＰIXに対する階調信号Ｘ[n]の供給を短時間で完了することが可能である。他方、第２期間Ｐ2では、表示制御回路１４２による階調データＤAの転送や各画素回路ＰIXに対する階調信号Ｘ[n]の供給に長時間が必要となる反面、表示画像の階調数を充分に確保することが可能である。第３期間Ｐ3では、各画素回路ＰIXに対する階調信号Ｘ[n]の供給は停止するが、液晶素子ＣLの容量性（電圧保持機能）により、画素部３０に表示される画像は、直前の第２期間Ｐ2で階調データＤBに応じて表示された画像に保持される。
【００３４】
右眼用期間ＰR内の第１期間Ｐ1では、直前の左眼用期間ＰL（第２期間Ｐ2）で表示された左眼用画像ＧLが各選択期間ＨA[m]にて１行毎に順次に右眼用画像ＧRに変更され、左眼用期間ＰL内の第１期間Ｐ1では、直前の右眼用期間ＰRで表示された右眼用画像ＧRが各選択期間ＨA[m]にて１行毎に順次に左眼用画像ＧLに変更される。すなわち、右眼用期間ＰRおよび左眼用期間ＰLの各々の第１期間Ｐ1内では右眼用画像ＧRと左眼用画像ＧLとが混在する。
【００３５】
制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。すなわち、眼鏡制御回路１４４は、図４に示すように、右眼用期間ＰRの第１期間Ｐ1の始点から所定の時間が経過した時点で右眼用シャッター２２を閉状態から開状態に変化させ、左眼用期間ＰLの始点にて右眼用シャッター２２を開状態から閉状態に変化させたうえで左眼用期間ＰLの全体で閉状態に維持する。具体的には、右眼用期間ＰRの第１期間Ｐ1の終点で右眼用シャッター２２は閉状態から開状態に遷移する。同様に、眼鏡制御回路１４４は、左眼用期間ＰLの第１期間Ｐ1の始点から所定の時間が経過した時点で左眼用シャッター２４を閉状態から開状態に変化させ、右眼用期間ＰRの始点にて左眼用シャッター２４を開状態から閉状態に変化させたうえで右眼用期間ＰRの全体で閉状態に維持する。具体的には、左眼用期間ＰLの第１期間Ｐ1の終点で左眼用シャッター２４は閉状態から開状態に遷移する。
【００３６】
したがって、右眼用期間ＰR内の第２期間Ｐ2と第３期間Ｐ3とで表示される右眼用画像ＧRは、右眼用シャッター２２を透過して観察者の右眼に到達するとともに左眼用シャッター２４で遮断される。他方、左眼用期間ＰL内の第２期間Ｐ2と第３期間Ｐ3とで表示される左眼用画像ＧLは、左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００３７】
図４に示すように、右眼用期間ＰRおよび左眼用期間ＰLの各々の第１期間Ｐ1では右眼用シャッター２２および左眼用シャッター２４の双方が閉状態に制御される。前述のように第１期間Ｐ1では表示画像が右眼用画像ＧRおよび左眼用画像ＧLの一方から他方に変化するが、右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００３８】
以上に説明した第１実施形態において、右眼用期間ＰRおよび左眼用期間ＰLの各々の第１期間Ｐ1では、階調データＤBのビット数を削減した階調データＤAが表示制御回路１４２から駆動回路４０に転送されて階調信号Ｘ[n]が各画素回路ＰIXに供給される。したがって、右眼用期間ＰRおよび左眼用期間ＰLの各々の最初から階調データＤBを駆動回路４０に転送して各画素回路ＰIXに階調信号Ｘ[n]を供給する構成と比較すると、右眼用画像ＧRと左眼用画像ＧLとが混在する期間（すなわち右眼用シャッター２２および左眼用シャッター２４の双方を閉状態に維持すべき期間）の時間長が短縮される。すなわち、右眼用シャッター２２および左眼用シャッター２４の一方を開状態に維持する時間長が充分に確保される。したがって、観察者が認識する表示画像の明るさを向上することが可能である。なお、第１期間Ｐ1での表示画像の階調数は本来の階調データＤBで表現できる階調数を下回るが、直後の第２期間Ｐ2では階調データＤBに応じた階調信号Ｘ[n]が各画素回路ＰIXに供給されるから、表示画像の階調数の低下は観察者に殆ど知覚されない。
【００３９】
ところで、右眼用画像ＧRと左眼用画像ＧLとが混在する第１期間Ｐ1の時間長を短縮する構成としては、例えば、第１期間Ｐ1にてＭ本の走査線３２を２本ずつ順次に選択するとともに奇数行の各画素の階調データＤBに応じた階調信号Ｘ[n]を各信号線３４に供給する構成（以下「対比例」という）も想定され得る。第１期間Ｐ1内では偶数行の階調データＤBの転送が省略されるともに走査線３２の選択回数が削減（Ｍ/２回に半減）されるから、第１実施形態と同様に第１期間Ｐ1の時間長を第２期間Ｐ2の約半分に短縮することが可能である。しかし、対比例では、ｙ方向に隣合う２個の画素回路ＰIXが共通の階調に設定されるから、表示画像のｙ方向の実質的な解像度が半減する。他方、第１実施形態において第１期間Ｐ1で表示される画像は、前述の通り階調数は低減されるものの解像度は第２期間Ｐ2での表示画像と同等である。したがって、第１期間Ｐ1での表示画像が利用者に知覚された場合でも、対比例で問題となる解像度の低下は発生しないという利点がある。
【００４０】
＜Ｂ：第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００４１】
図５は、第２実施形態における立体視表示装置１００の動作の説明図である。図５に示すように、第２実施形態における右眼用期間ＰRおよび左眼用期間ＰLの各々は、複数の第１期間Ｐ1（Ｐ1a，Ｐ1b）と第２期間Ｐ2とを含む。各第１期間Ｐ1は第２期間Ｐ2の開始前に設定される。第１実施形態の第３期間Ｐ3は省略される。ただし、第１実施形態と同様に第２期間Ｐ2の経過後に第３期間Ｐ3を設定することも可能である。
【００４２】
表示制御回路１４２および駆動回路４０は、第１期間Ｐ1aおよび第１期間Ｐ1bの各々において第１実施形態の第１期間Ｐ1と同様の動作（Ｋビットの階調データＤAの周期Ｔ1での転送，各選択期間ＨA[m]での走査線３２の選択および信号線３４に対する階調信号Ｘ[n]の供給）を実行する。
【００４３】
ただし、表示制御回路１４２が信号線駆動回路４４に転送する階調データＤAは第１期間Ｐ1aと第１期間Ｐ1bとで相違する。例えば、表示制御回路１４２は、第１期間Ｐ1aでは、階調データＤB[m,n]のうち上位側のＫビットを階調データＤA[m,n]として各伝送路Ｑ[k]に出力し、第２期間Ｐ1bでは階調データＤBのうち次のＫビット（第(K+1)番目から第2K番目まで）を階調データＤA[m,n]として各伝送路Ｑ[k]に出力する。したがって、第１期間Ｐ1aおよび第１期間Ｐ1bの全体で階調データＤB[m,n]に応じた階調が表示される。例えば、第１期間Ｐ1aでの表示階調と第１期間Ｐ1bでの表示階調との中間の階調が利用者に知覚される。第２期間Ｐ2での動作は第１実施形態と同様である。
【００４４】
眼鏡制御回路１４４は、右眼用期間ＰR内の最初の第１期間Ｐ1aの終点（第１期間Ｐ1bの始点）で右眼用シャッター２２を閉状態から開状態に変化させ、左眼用期間ＰLの始点（第２期間Ｐ2の終点）にて右眼用シャッター２２を開状態から閉状態に変化させたうえで左眼用期間ＰLの全体で閉状態に維持する。同様に、眼鏡制御回路１４４は、左眼用期間ＰL内の最初の第１期間Ｐ1aの終点で左眼用シャッター２４を閉状態から開状態に変化させ、右眼用期間ＰRの始点にて左眼用シャッター２４を開状態から閉状態に変化させたうえで右眼用期間ＰRの全体で閉状態に維持する。したがって、右眼用期間ＰR内の第１期間Ｐ1bと第２期間Ｐ2とで表示される右眼用画像ＧRが観察者の右眼に到達し、左眼用期間ＰL内の第１期間Ｐ1bと第２期間Ｐ2とで表示される左眼用画像ＧLが観察者の左眼に到達する。
【００４５】
第２実施形態においても第１実施形態と同様の効果が実現される。また、第２実施形態では、右眼用期間ＰRおよび左眼用期間ＰLの各々における第１期間Ｐ1（Ｐ1a，Ｐ1b）毎に各画素回路ＰIXの表示階調が階調データＤAに応じて個別に制御されるから、ビット数を削減した階調データＤAを利用する構成にも関わらず、階調データＤAに応じた表示画像について観察者が知覚する実質的な階調数を第１実施形態と比較して増加させることが可能である。
【００４６】
＜Ｃ：変形例＞
以上の各形態は多様に変形され得る。具体的な変形の態様を以下に例示する。以下の例示から任意に選択された２以上の態様は、相互に矛盾しない範囲内で適宜に併合され得る。
【００４７】
（１）変形例１  
以上の各形態では、右眼用期間ＰRのうち第１期間Ｐ1の終点（第２実施形態では最初の第１期間Ｐ1aの終点）で右眼用シャッター２２を閉状態から開状態に変化させたが、右眼用シャッター２２を開状態に変化させる時期は適宜に変更される。例えば、右眼用期間ＰRの第１期間Ｐ1の終点以前に右眼用シャッター２２を開状態に変更する構成では、第１期間Ｐ1内で右眼用画像ＧRと左眼用画像ＧLとの混在が観察者に若干は知覚されるが、表示画像の明度を向上させることが可能である。他方、右眼用期間ＰRの第１期間Ｐ1の終点以降の時点で右眼用シャッター２２を開状態に変更する構成では、右眼用画像ＧRと左眼用画像ＧLとの混在が観察者に知覚されることを確実に防止することが可能である。すなわち、右眼用シャッター２２を開状態に変化させる時期は、右眼用期間ＰRのうち第１期間Ｐ1（第２実施形態では最初の第１期間Ｐ1a）の始点から所定の時間（すなわち右眼用画像ＧRと左眼用画像ＧLとの混在が利用者に知覚されることを防止する必要がある期間）が経過した時点として包括され、右眼用画像ＧRと左眼用画像ＧLとの混在を利用者に知覚されることの防止と表示画像の明度の確保との優先度（バランス）に応じて適宜に選定される。左眼用期間ＰL内で左眼用シャッター２４を閉状態から開状態に変化させる時期も同様であり、左眼用期間ＰLのうち第１期間Ｐ1（第２実施形態では最初の第１期間Ｐ1a）の始点から所定の時間が経過した任意の時点が、右眼用画像ＧRと左眼用画像ＧLとの混在が利用者に知覚されることの防止と表示画像の明度の確保との優先度に応じて適宜に選定される。また、右眼用画像ＧRと左眼用画像ＧLとの混在が利用者に知覚され難い開閉の時期は、右眼用シャッター２２および左眼用シャッター２４の応答特性と電気光学パネル１２（液晶素子ＣL）の応答特性との関係に応じて変化する。したがって、右眼用シャッター２２および左眼用シャッター２４の各々を開状態および閉状態の一方から他方に変化させる時期を、立体視用眼鏡２０の応答特性と電気光学パネル１２の応答特性との関係に応じて選定した構成も好適である。
【００４８】
同様に、右眼用シャッター２２を開状態から閉状態に変化させる時期は、右眼用期間ＰRの終点（左眼用期間ＰLの始点）に限定されない。例えば、右眼用期間ＰRの終点を含む所定の期間内（終点の到来前または経過後）に右眼用シャッター２２を閉状態に変化させることも可能である。また、左眼用シャッター２４を開状態から閉状態に変化させる時期も任意であり、例えば、左眼用期間ＰLの終点（右眼用期間ＰRの始点）を含む所定の期間内に左眼用シャッター２４を閉状態に変化させる構成も採用され得る。
【００４９】
（２）変形例２  
第２実施形態において右眼用期間ＰRおよび左眼用期間ＰLの各々に含まれる第１期間Ｐ1の個数は任意であり、３個以上の第１期間Ｐ1を第２期間Ｐ2の開始前に設定することも可能である。また、以上の例示では第１期間Ｐ1aと第１期間Ｐ1bとで時間長を共通させたが、右眼用期間ＰRおよび左眼用期間ＰLの各々に含まれる各第１期間Ｐ1の時間長を相違させた構成（FRC：frame rate control）も採用され得る。第１期間Ｐ1毎に時間長を相違させた構成によれば、各第１期間Ｐ1の時間長を共通させた場合と比較して、観察者が知覚する実質的な階調数を増加させることが可能である。
【００５０】
（３）変形例３  
階調データＤA[k,m]および階調データＤB[k,m]のビット数は任意である。例えば、階調データＤA[k,m]を５ビットとして階調データＤB[k,m]を１２ビットとした構成や、階調データＤA[k,m]を５ビットとして階調データＤB[k,m]を１１ビットとした構成も採用され得る。
【００５１】
（４）変形例４  
電気光学素子は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００５２】
＜Ｄ：応用例＞
以上の各形態に例示した電気光学装置１０は、各種の電子機器に利用され得る。図６から図８には、電気光学装置１０を採用した電子機器の具体的な形態が例示されている。
【００５３】
図６は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００５４】
図７は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００５５】
図８は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０で視認する。
【００５６】
なお、本発明に係る電気光学装置が適用される電子機器としては、図６から図８に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００５７】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素回路、ＣL……液晶素子、ＳW……選択スイッチ、３２……走査線、３４……信号線、４０……駆動回路、４２……走査線駆動回路、４４……信号線駆動回路。
【図１】
0005703768.tif 000002
【図２】
0005703768.tif 000003
【図３】
0005703768.tif 000004
【図４】
0005703768.tif 000005
【図５】
0005703768.tif 000006
【図６】
0005703768.tif 000007
【図７】
0005703768.tif 000008
【図８】
0005703768.tif 000009
【図９】
0005703768.tif 000010